(57)【要約】【課題】複数の生体行動間の相対関係も考慮し、ユーザの生体行動に対する評価を適時にかつ直感的に、かつ、直感的に生体行動の種類がわかるように表示する。【解決手段】  本発明の生体行動評価装置は、生体に付したセンサを介して当該生体が行なった生体行動によって変化するデータを、即時的又は事後的に取得するデータ取得部と、取得したデータに基づき、生体行動の種類を特定する行動特定部と、取得したデータに基づき、種類が特定された生体行動の良否に関する評価を種類ごとに行なう行動評価部と、種類が特定された生体行動を種類ごとにアイコン化するとともに、アイコン化したアイコンを、時間軸と時間軸に直交する評価軸とを有する画面上に、時系列に、かつ、評価に応じた位置に表示する表示処理部と、を有することを特徴とする。【選択図】図７
2017074174.tif 000002
【特許請求の範囲】
【請求項１】
生体に付したセンサを介して当該生体が行なった生体行動によって変化するデータを、即時的又は事後的に取得するデータ取得部と、
前記取得したデータに基づき、前記生体行動の種類を特定する行動特定部と、
前記取得したデータに基づき、前記種類が特定された生体行動の良否に関する評価を前記種類ごとに行なう行動評価部と、
前記種類が特定された生体行動を前記種類ごとにアイコン化するとともに、前記アイコン化したアイコンを、時間軸と前記時間軸に直交する評価軸とを有する画面上に、時系列に、かつ、前記評価に応じた位置に表示する表示処理部と、
を有することを特徴とする生体行動評価装置。
【請求項２】
前記生体行動評価装置は、
評価対象となる前記生体行動、複数の前記種類についての前記データに関する閾値を有する評価基準、及び、前記生体行動に対する前記評価の結果である評価値が相互に関連付けて記憶される評価値情報が格納される記憶部を有し、
前記行動評価部は、
前記データが即時的又は事後的に取得されると、前記取得したデータに基づいて前記評価値情報の前記評価基準を参照し、対応する前記生体行動及び前記評価値を取得し、
前記表示処理部は、
前記データを取得する都度前記アイコンを表示すること、
を特徴とする請求項１に記載の生体行動評価装置。
【請求項３】
前記種類は、
食事、歩行、睡眠及び緊張を含み、
前記行動評価部は、
所定の場合の発生を契機として、前記閾値を更新すること、
を特徴とする請求項２に記載の生体行動評価装置。
【請求項４】
前記表示処理部は、
前記アイコンを表示する際に、過去に表示した前記アイコンを同じ前記画面において表示すること、
を特徴とする請求項３に記載の生体行動評価装置。
【請求項５】
前記生体行動評価装置は、
携帯可能な装置であり、
前記センサを有する装置と通信可能に接続されていること、
を特徴とする請求項４に記載の生体行動評価装置。
【請求項６】
前記表示処理部は、
前記アイコン及び前記アイコンを表示すべき前記画面上の位置を前記記憶部に記憶し、
ユーザが指定する任意の時点において、前記記憶したすべてのアイコンを、前記画面上の前記記憶した位置にそれぞれ表示すること、
を特徴とする請求項５に記載の生体行動評価装置。
【請求項７】
生体行動評価装置のデータ取得部は、
生体に付したセンサを介して当該生体が行なった生体行動によって変化するデータを、即時的又は事後的に取得し、
前記生体行動評価装置の行動特定部は、
前記取得したデータに基づき、前記生体行動の種類を特定し、
前記生体行動評価装置の行動評価部は、
前記取得したデータに基づき、前記種類が特定された生体行動の良否に関する評価を前記種類ごとに行い、
前記生体行動評価装置の表示処理部は、
前記種類が特定された生体行動を前記種類ごとにアイコン化するとともに、前記アイコン化したアイコンを、時間軸と前記時間軸に直交する評価軸とを有する画面上に、時系列に、かつ、前記評価に応じた位置に表示すること、
を特徴とする前記生体行動評価装置の生体行動評価方法。
【発明の詳細な説明】
【技術分野】
【０００１】
本発明は、生体行動評価装置及び生体行動評価方法に関する。
【背景技術】
【０００２】
疾病の予防、治療等の目的で、対象者の食習慣、運動習慣等の生活習慣を改善するために、医師等が対象者に対し保険指導を実施することが多い。さらには、医師等から保険指導を受けるまでもなく、対象者が主体的に自身の健康管理を行う場合もある。この場合、対象者は、例えば、生体情報取得装置を自身の身体に装着し、自身の生体値を計測する。生体情報取得装置の一例として、“歩数計”が広く普及している。歩数計は対象者の１日の歩数等を時系列で記録する。そして、対象者は、パーソナルコンピュータ等によってこの生体値を分析する。パーソナルコンピュータ等に実装されるソフトウエアアプリケーションも多く市販されている。このようなソフトウエアアプリケーションは、例えば、歩数等の推移をグラフ表示する。
【０００３】
特許文献１の生活習慣改善支援装置は、１日の終わりに“日次結果表示画面”上に、 “起床時刻”、 “朝食時刻”、“運動量”等の各評価項目に対する“重み付け後素点”及びコメントを表示する（引用文献１の図２１及び図２２）。さらに、これらを週次及び月次でも表示する（引用文献１の図２３及び図２４）。
【先行技術文献】
【特許文献】
【０００４】
【特許文献１】特開２０１１−１２８８５１号公報
【発明の概要】
【発明が解決しようとする課題】
【０００５】
特許文献１の生活習慣改善支援装置のユーザは、１日、１週間及び１月の終わりに表示画面を見る。つまり、特許文献１の生活習慣改善支援装置は、ある程度の期間を経た後、ユーザが回想的に生活習慣を見直すのには適している。しかしながら、例えば、評価項目である“運動量”は、ある時点の具体的な行動（例えば、ある日の昼食後、駅に向かって１０分走った等）に関連付けられて表示されてはいない。したがって、“運動量”に対する“重み付け後素点”が低く表示されても、ユーザは、具体的にどの行動をどのように改善すればよいかが簡単には思いつかない。つまり、特許文献１の生活習慣改善支援装置は、具体的な行動をリアルタイムで評価するものではないので、即時のリアリティを以って生活習慣を見直したいユーザには適していない。
【０００６】
“昼食にはカレーライスを摂ったが、この行動は評価されるものであったか？”、“その後駅に向かって走ったが、この行動は評価されるものであったか？”のような自身の行動に対する評価をリアルタイムで、かつ、行動内容が直感的にわかりやすいアイコンを視認することによって知りたいユーザは多い。このようなユーザ向けの生体行動評価装置が望まれていた。
【０００７】
また、“運動量”の計測値が同じであればその“運動量”に対する評価が常に同じであるとは限らない。実際には、食事の量（摂取カロリー）の水準によって、同じ“運動量”に対する評価が良くなる場合もあるし、悪くなる場合もある。このように、“運動量”及び“食事の量”のような複数の項目間の相対関係について、特許文献１の生活習慣改善支援装置は特に考慮しているわけではない。
そこで、本発明は、複数の生体行動間の相対関係も考慮し、ユーザの生体行動に対する評価を適時に、かつ、直感的に生体行動の種類がわかるように表示することを目的とする。
【課題を解決するための手段】
【０００８】
本発明の生体行動評価装置は、生体に付したセンサを介して当該生体が行なった生体行動によって変化するデータを、即時的又は事後的に取得するデータ取得部と、取得したデータに基づき、生体行動の種類を特定する行動特定部と、取得したデータに基づき、種類が特定された生体行動の良否に関する評価を種類ごとに行なう行動評価部と、種類が特定された生体行動を種類ごとにアイコン化するとともに、アイコン化したアイコンを、時間軸と時間軸に直交する評価軸とを有する画面上に、時系列に、かつ、評価に応じた位置に表示する表示処理部と、を有することを特徴とする。
その他の手段については、発明を実施するための形態のなかで説明する。
【発明の効果】
【０００９】
本発明によれば、複数の生体行動間の相対関係も考慮し、ユーザの生体行動に対する評価を適時に、かつ、直感的に生体行動の種類がわかるように表示することができる。
【図面の簡単な説明】
【００１０】
【図１】生体行動評価装置の構成の一例を説明する図である。
【図２】生体行動評価装置の構成の他の例を説明する図である。
【図３】評価値情報の一例を示す図である。
【図４】閾値更新基準の一例を示す図である。
【図５】コメント情報の一例を示す図である。
【図６】処理手順のフローチャートである。
【図７】行動評価画面の一例を示す図である。
【図８】（ａ）、（ｂ）及び（ｃ）は、行動評価画面の遷移を示す図である。
【図９】（ａ）、（ｂ）及び（ｃ）は、行動評価画面の遷移を示す図（続き）である。
【図１０】（ａ）は、アイコンの重なりを説明する図であり、（ｂ）は、ハートの図案の満ち欠けを説明する図である。
【図１１】（ａ）、（ｂ）及び（ｃ）は、行動評価画面の領域割り当ての一例を示す図である。
【発明を実施するための形態】
【００１１】
以降、本発明を実施するための形態（“本実施形態”という）を、図等を参照しながら詳細に説明する。本実施形態において、ユーザは、携帯可能な生体行動評価装置を使用して、自身の生体行動に対する評価を視認する（図１に対応）。又は、ユーザは、携帯可能な携帯端末装置からネットワークを介して生体行動評価装置にアクセスし、自身の生体行動に対する評価を視認する（図２に対応）。
【００１２】
（用語等）
生体行動とは、主として人間のあらゆる行動を意味する。すべての人間は、食事し、歩行しそして睡眠する。そして、これらの結果としてある精神状態に達する。そこで、本実施形態においては、生体行動は、食事、歩行、睡眠及び緊張という４つの種類を有するものとする。
【００１３】
生体情報取得装置とは、生体行動の水準を示す物理量を計測する装置である。生体情報取得装置の多くは、人間の身体に装着され、又は、人間に携帯される。計測値とは、生体情報取得装置が取得したセンサ値又はセンサ値以外のデータ、これらを任意の方法で演算・加工した値、並びに、これらに基づいて予め準備されている候補値のうちから選択された値である。計測値は、生体行動によって時々刻々と変化する。
【００１４】
食事についての生体情報取得装置の例として、カメラ（受光センサ）、画像識別ソフトウエア及びカロリー表を内蔵したカロリー計算携帯端末が存在する。カロリー計算携帯端末は、カメラによってある食事の画像を撮像し、撮像された画像が例えば“ラーメン１杯”の画像であることを識別する。さらに、カロリー計算携帯端末は、ラーメン１杯のカロリー値を表示する。本実施形態では、ラーメン１杯のカロリー値が計測値となる。
【００１５】
歩行についての生体情報取得装置の例として、３次元加速度センサ等を内蔵したリストバンド型歩数計が存在する。歩数計は、それを装着した人間の振動を検知し、歩行の有無、連続歩行時間、歩数等を知ることができる。さらに、歩数計は、姿勢（立位、座位等）及び速度を検知し、その歩行の強度を知ることができる。本実施形態では、所定の強度以上の連続歩行時間、及び、連続着座時間が計測値となる。
【００１６】
睡眠についての生体情報取得装置の例として、脳波センサ及び脳波分析ソフトウエアを内蔵した帽子型睡眠分析装置が存在する。睡眠分析装置は、脳波の波形を分析することにより人間の睡眠状態を分析する。本実施形態では、睡眠時間（脳波の振幅が所定の閾値以下である時間）、睡眠効率（睡眠時間／就床時間×１００（％））及び睡眠時間のばらつき（例えば連続する１０日間の睡眠時間の標準偏差）等が計測値となる。
【００１７】
緊張についての生体情報取得装置の例として、試験紙上に採取された唾液中のアミラーゼを検知するセンサ、及び、唾液中のアミラーゼ値を分析するソフトウエアを内蔵した唾液分析装置が存在する。一般に、人間は緊張するほど、唾液中のアミラーゼ値（単位体積あたりの唾液中の分子数）が大きくなる。本実施形態では、唾液中のアミラーゼ値が計測値となる。なお、緊張についての生体情報取得装置として、歩行及び睡眠についての生体情報取得装置を流用してもよい。この場合、例えば、睡眠時間に対する歩数の比（疲れ、イライラを示す）が計測値となり得る。
【００１８】
（生体行動評価装置）
図１に沿って、生体行動評価装置１の構成を説明する。生体行動評価装置１は、一般的なコンピュータである。図１では、生体行動評価装置１は携帯型のコンピュータであることを想定しているが、生体行動評価装置１は、据え置きタイプのコンピュータであってもよい。生体行動評価装置１は、中央制御装置１１、入力装置１２、出力装置１３、主記憶装置１４、補助記憶装置１５及び通信装置１６を有する。これらは、バスによって相互に接続されている。補助記憶装置１５は、計測値情報３１、評価値情報３２、閾値更新基準３３及びコメント情報３４を記憶している（詳細後記）。主記憶装置１４におけるデータ取得部４１、行動特定部４２、行動評価部４３及び表示処理部４４はプログラムである。以降、“○○部は”と主体を記した場合は、中央制御装置１１が、補助記憶装置１５から○○部を読み出し、主記憶装置１４にロードしたうえで、○○部の機能（詳細後記）を実現するものとする。
【００１９】
生体行動評価装置１は、有線又は無線の近距離通信技術によって生体情報取得装置２に接続され得る。生体情報取得装置２は、センサ４５等を有し、計測値４６を、計測値４６が取得された時点とともに生体行動評価装置１に送信する。
【００２０】
図２に沿って、生体行動評価装置３の構成を説明する。図１に比して図２が異なる点は、図１における生体行動評価装置１の機能が、図２においては生体行動評価装置３及び携帯端末装置４に分散していることである。生体行動評価装置３は、一般的なコンピュータである。図２では、生体行動評価装置３は据え置きタイプのコンピュータであることを想定している。生体行動評価装置３は、中央制御装置１１、主記憶装置１４、補助記憶装置１５及び通信装置１６を有する。これらは、バスによって相互に接続されている。補助記憶装置１５は、計測値情報３１、評価値情報３２、閾値更新基準３３及びコメント情報３４を記憶している（詳細後記）。主記憶装置１４におけるデータ取得部４１、行動特定部４２、行動評価部４３及び表示処理部４４はプログラムである。
【００２１】
生体行動評価装置３は、ネットワーク５を介して携帯端末装置４と接続され得る。携帯端末装置４は、有線又は無線の近距離通信技術によって生体情報取得装置２に接続され得る。生体情報取得装置２は、センサ４５等を有し、計測値４６を、計測値４６が取得された時点とともに携帯端末装置４に送信する。携帯端末装置４は、計測値４６を、計測値４６が取得された時点とともに、ネットワーク５を介して生体行動評価装置３に送信する。また、携帯端末装置４は、入力装置１２、出力装置１３及び通信装置１７を有している。
【００２２】
図１及び図２において、生体行動評価装置１（３）の果たす機能には大きな差異はない。但し、図１においては、ユーザが操作する生体行動評価装置１は、自身が有する行動評価部４３等の機能によって生体行動を評価する等の処理を行う。一方、図２においては、行動評価部４３等の機能によって生体行動を評価する等の処理を行うのは、企業等が運営する生体行動評価装置３である。一般のユーザは、自身が操作する携帯端末装置４からネットワーク５を介して、生体行動評価装置３にアクセスし、当該機能を利用する。
【００２３】
（計測値情報）
図１及び図２の計測値情報３１は、生体情報取得装置２が取得した計測値を、計測値が取得された時点に関連付けて記憶している。
【００２４】
（評価値情報）
図３に沿って、評価値情報３２を説明する。評価値情報３２においては、評価ＩＤ欄１０１に記憶された評価ＩＤに関連付けて、生体行動種類欄１０２には２つの小欄（直ちに後記）が、評価値欄１０３には評価値が、評価基準欄１０４には評価基準が記憶されている。生体行動種類欄１０２は、下位階層の小欄として主欄１０２ａ及び従欄１０２ｂを有する。主欄１０２ａには主種類が、従欄１０２ｂには従種類が、記憶されている。
【００２５】
評価ＩＤ欄１０１の評価ＩＤは、評価値情報３２のレコード（行）を一意に特定する識別子である。
主欄１０２ａの主種類は、４つの生体行動の種類“食事”、“歩行”、“睡眠”及び“緊張”のうち、評価対象となる種類である。後記するように、評価対象となる種類は、アイコンとして行動評価画面５１（図７）に表示される。本実施形態においては、主種類“食事”に対応するアイコンは、食器の図案を有する。主種類“歩行”に対応するアイコンは、人間が歩行する図案又は人間が着座する図案を有する。主種類“睡眠”に対応するアイコンは、三日月の図案を有する。主種類“緊張”に対応するアイコンは、ハートの図案を有する。
【００２６】
従欄１０２ｂの従種類は、主種類以外の生体行動の種類のうち、主種類に対する評価のために参照される種類である。ある種類が“主”であるか“従”であるかは固定的ではない。評価ＩＤごとに、どの種類が主種類となり、どの種類が従種類となるかが独立的に定義される。ただし、いずれの評価ＩＤにおいても、常に１種類の主種類が定義される。一方、従種類は、１又は複数種類定義されることもあるし、定義されない場合もある。
【００２７】
評価値欄１０３の評価値は、生体行動の良否に関する評価を示す値である。本実施形態においては、評価値は、“−３”以上“３”以下の連続範囲の実数である。“０”を起点として評価値が大きくなるほど、生体行動に対する評価は高く、“０”を起点として評価値が小さくなるほど、生体行動に対する評価は低い。ユーザ（ユーザに対して保険指導を行う医師等を含む）は、評価ＩＤごとに任意の評価値を設定し得る。
【００２８】
評価基準欄１０４の評価基準は、１又は複数の種類についての計測値の大きさを規定した文字列又は数式である。評価基準は、１又は複数の計測値を含み、当該計測値に基づいて多くの生体行動のうちから評価値を与えるべき生体行動を抽出するために使用される。例えば評価基準が、“その日の２１：００以降の摂取カロリーが５００ｋｃａｌ以上である”であるとする。このとき、“５００ｋｃａｌ”が計測値である。つまり、行動評価部４３は、２１時００分以降に摂取されたカロリーが“５００ｋｃａｌ”以上であるか否かによって、主種類の生体行動“食事”がその評価基準に該当するか否かを判断する。そして、この“５００ｋｃａｌ”は更新（変更）可能な閾値でもある（詳細後記）。
【００２９】
（評価基準に対する計測値の適用例）
前提として、生体行動評価装置１（３）のデータ取得部４１は、各種の生体情報取得装置２から生体行動評価装置１（３）に対して送信される計測値を常時監視し、即時的又は事後的に計測値を取得している。
【００３０】
（例１：図３のレコードＥ０１に該当する場合）
データ取得部４１がカロリー計算携帯端末から受信した計測値を、行動特定部４２及び行動評価部４３が分析した結果、以下のことが判明したとする。
・ユーザは、２，５００ｋｃａｌを摂取したこと。
・その計測値が取得された時点は、その日の１２時００分であったこと。
この場合、表示処理部４４は、１２時００分において、行動評価画面５１（図７）の座標平面上の[時点＝１２時００分，評価値＝−３]の位置に、食事のアイコンを表示する。
【００３１】
（例２：図３のレコードＥ０６に該当する場合）
データ取得部４１がカロリー計算携帯端末及び歩数計から受信した計測値を、行動特定部４２及び行動評価部４３が分析した結果、以下のことが判明したとする。
・前日の歩行時間の累計値がｑ１＝１２０分であったこと。
・その日に摂取したカロリー値の累計値が１３時００分に８００ｋｃａｌを超えたこと。
なお、ユーザの体重等を基準に、８００ｋｃａｌが１２０分に相当することがわかっているものとする。なお、当該相当量は専ら説明のための例であり、生理学的に適当であるか否かは確認していない（以下同様）。
この場合、表示処理部４４は、１３時００分において、行動評価画面５１の座標平面上の[時点＝１３時００分，評価値＝−２]の位置に、食事のアイコンを表示する。
【００３２】
例１及び例２の比較において、以下のことがらに留意すべきである。
・例１では、食事についての計測値だけが評価基準に適用されていること。
・例２では、食事についての計測値及び歩行についての計測値が同じ１つの評価基準に適用されていること。
【００３３】
（例３：図３のレコードＷ０３に該当する場合）
データ取得部４１がカロリー計算携帯端末及び歩数計から受信した計測値を、行動特定部４２及び行動評価部４３が分析した結果、以下のことが判明したとする。
・前日に摂取したカロリーの累計値がｑ３＝２，０００ｋｃａｌであったこと。
・その日の１４時００分に、ユーザが１５０分歩行し終えたこと。
なお、２，０００ｋｃａｌは５００分に相当することがわかっているものとする。
すると、表示処理部４４は、１４時００分において、行動評価画面５１の座標平面上の[時点＝１４時００分，評価値＝１]の位置に、歩行のアイコンを表示する。
【００３４】
例２及び例３の比較において、以下のことがらに留意すべきである。
・いずれも食事についての計測値及び歩行についての計測値が同じ１つの評価基準に適用されていること。
・例２において評価対象となる生体行動は食事である一方、例３において評価対象となる生体行動は歩行であること。
【００３５】
（例４：図３のレコードＤ０３に該当する場合）
レコードＤ０３のｑ１０の値として“４時間”が記憶されているとの前提で、データ取得部４１が歩数計及び睡眠分析装置から受信した計測値を、行動特定部４２及び行動評価部４３が分析した結果、以下のことが判明したとする。
・前日の歩行時間の累計値は、５時間であったこと。
・前夜の睡眠時間は４時間３０分であったこと。
すると、表示処理部４４は、ユーザがその日の起床後初めて生体行動評価装置１（又は携帯端末装置４）を操作した時点において、行動評価画面５１の座標平面上の[時点＝左端の座標値，評価値＝−１]の位置に“睡眠”のアイコンを表示する。
【００３６】
（例５：図３のレコードＴ０４に該当する場合）
レコードＴ０４のｑ１２の値として“１５０（％）”が記憶されているとの前提で、データ取得部４１が歩数計、睡眠分析装置及び唾液分析装置から受信した計測値を、行動特定部４２及び行動評価部４３が分析した結果、以下のことが判明したとする。
・その日の就寝前の唾液中のアミラーゼ値が６０であったこと。
・その日の歩行時間の累計値が７時間であったこと。
・前夜の睡眠時間が４時間であったこと。
すると、表示処理部４４は、ユーザがその日の就床前最後に生体行動評価装置１（又は携帯端末装置４）を操作した時点において、行動評価画面５１の座標平面上の[時点＝右端の座標値，評価値＝−３]の位置に“睡眠”のアイコンを表示する。
【００３７】
（閾値のタイプ）
図３の各レコードの評価基準を参照すると、以下の２つのタイプの閾値があることがわかる。
・〈ｑｎ〉で表される第１のタイプ
その日の閾値が前日の計測値となっている。例えば、ｑ１及びｑ３がこれに該当する。このタイプは、生体行動がそのまま反映されるものであり、ユーザの操作により調節される余地はない。
・〈〈ｑｎ〉〉で表される第２のタイプ
前日の計測値等に拘束されず、ユーザが任意に設定できる。例えば、ｑ２及びｑ４〜ｑ１２がこれに該当する。より正確に言えば、第１のタイプ以外のすべての閾値が第２のタイプに該当する。ここでは、図３が煩雑になるのを避けるために、第２のタイプをｑ２及びｑ４〜ｑ１２に限定している。
【００３８】
以上のことに留意して、例２及び例３に再度注目すると、以下のことがらがわかる。
・前日の計測値であるｑ１及びｑ３の値によって、その日の生体行動に対する評価が変化すること。
・ある種類に対する評価が、前日の他の種類の計測値によって変化すること。
【００３９】
また、例４及び例５に注目すると、以下のことがらがわかる。
・ｑ１０及びｑ１２として記憶されている閾値によって、行動評価部４３が行う評価が変化すること。
・ｑ１０及びｑ１２として記憶されている閾値を更新することによって、行動評価部４３が行う評価の厳しさ（甘さ）を調節できること。
【００４０】
（閾値更新情報）
図４に沿って、閾値更新基準３３を説明する。閾値更新基準３３においては、更新パタンＩＤ欄１１１に記憶された更新パタンＩＤに関連付けて、更新方法欄１１２には更新方法が、更新契機欄１１３には更新契機が、閾値の例欄１１４には閾値の例が記憶されている。
【００４１】
更新パタンＩＤ欄１１１の更新パタンＩＤは、閾値更新基準３３のレコードを一意に特定する識別子である。
更新方法欄１１２の更新方法は、閾値の具体的な更新方法である。“閾値を計測値で更新する”は、例えば、ｑ１（図３のレコードＥ０６参照）を前日の歩行時間で更新することを含む。“閾値を５％厳しくする”は、例えば、ｑ４（図３のレコードＷ０６参照）の値が、“６０分”であった場合、これを“５７”分で更新することである。“閾値を５％甘くする”は、例えば、ｑ４の値が、“６０分”であった場合、これを“６３”分で更新することである。厳しくする更新が閾値を小さくすることに対応し、甘くする更新が閾値を大きくすることに対応するとは限らない。その逆もあり得る。そこで、行動評価部４３は、“閾値ｑｎを厳しくする場合、その値を大きくする”等のルールを予めユーザが指定するのを受け付けておく。
【００４２】
更新契機欄１１３の更新契機は、閾値の更新を実際に行うタイミングである。
閾値の例欄１１４の閾値の例は、その更新方法が適用される閾値（図３のｑ１〜ｑ１２）である。
【００４３】
図３及び図４を再度参照する。図４のレコードＰ１に基づいて、行動評価部４３は、ユーザがその日の起床後初めて生体行動評価装置１等を操作した時点において、図３の閾値ｑ１（レコードＥ０６）を前日の歩行時間の累計値で更新する。同様に、図３の閾値ｑ３（レコードＷ０３〜Ｗ０５）を前日の摂取カロリーの累計値で更新する。
【００４４】
ｑ２及びｑ４〜ｑ１２は、図３のレコードＥ０７、Ｗ０６、Ｗ０７、Ｗ０８、Ｄ０３、Ｔ０３及びＴ０４に含まれる。このうち、評価値が２日連続して“２”以上になる可能性があるのは、レコードＥ０７及びＷ０８のみである。そして、評価値が２日連続して“−２”以下になる可能性があるのは、レコードＷ０７及びＴ０４のみである。そこで、例えば、２日連続して計測値が図３のレコードＥ０７の評価基準に該当した場合、行動評価部４３は、図４のレコードＰ２に基づいて、図３のレコードＥ０７の閾値ｑ２を５％厳しい値に更新する。さらに、２日連続して計測値が図３のレコードＷ０８の評価基準に該当した場合、行動評価部４３は、図４のレコードＰ２に基づいて、図３のレコードＷ０８の閾値ｑ６、ｑ７、ｑ８及びｑ９のそれぞれを５％厳しい値に更新する。
【００４５】
同様に、２日連続して計測値が図３のレコードＷ０７の評価基準に該当した場合、行動評価部４３は、図４のレコードＰ３に基づいて、図３のレコードＷ０７の閾値ｑ５を５％甘い値に更新する。さらに、２日連続して計測値が図３のレコードＴ０４の評価基準に該当した場合、行動評価部４３は、図４のレコードＰ３に基づいて、図３のレコードＴ０４の閾値ｑ１２を５％甘い値に更新する。
【００４６】
（コメント情報）
図５に沿って、コメント情報３４を説明する。コメント情報３４においては、評価ＩＤ欄１２１に記憶された評価ＩＤ（レコードによっては空欄である場合もある）に関連付けて、計測値推移欄１２２には計測値推移（同）が、コメント欄１２３にはコメントが記憶されている。
評価ＩＤ欄１２１の評価ＩＤは、図３の評価ＩＤと同じである。
計測値推移欄１２２の計測値推移は、コメントを表示する契機である（詳細を直ちに後記）。
コメント欄１２３のコメントは、行動評価画面５１においてアイコンに関連付けて表示されるメッセージである。
【００４７】
コメントは、評価ＩＤ又は計測値推移のうちのいずれかに関連付けられている。表示処理部４４は、評価ＩＤが特定する図３の評価基準に計測値が該当した場合、対応する図５のコメントを行動評価画面５１において、対応する主種類のアイコンに関連付けて表示する。表示処理部４４は、図５の計測値情報に計測値が該当した場合、対応するコメントを行動評価画面５１において、対応する生体行動（主種類）のアイコンに関連付けて表示する。
【００４８】
（行動評価画面）
説明の都合上図６を飛ばし、先に図７に沿って、行動評価画面５１を説明する。行動評価画面５１は全体として、１日の時刻を横軸２０１として有し、生体行動（主種類）の評価値を縦軸２０２として有する座標平面になっている。縦軸と横軸とは直交していても直交していなくてもよい。出力装置１２の大きさが制限されている等多くの場合では、縦軸と横軸とが直交していることが、見やすさの観点からは好ましい。横軸２０１の左端の目盛はその日の０時００分である。横軸２０１の右端の目盛はその日の２４時００分である。なお、“その日”の月日は、欄２０３に表示されている。
【００４９】
縦軸位置を基準にして、行動評価画面５１は、“Ｇｏｏｄ”、“Ｆａｉｒ”及び“Ｂａｄ”の３領域に分割される。縦軸２０２の目盛は、領域“Ｇｏｏｄ”の下端を“０”として上方向が正の方向になっている。さらに、縦軸２０２の目盛は、領域“Ｂａｄ”の上端を“０”として下方向が負の方向になっている。図７では、領域“Ｇｏｏｄ”の下端は、横軸２０１に一致している。領域“Ｆａｉｒ”は、横軸２０１の目盛及び縦軸２０２の目盛とは関係のない領域であり、その意味で、図７の領域“Ｆａｉｒ”は、厳密には座標平面の一部とはいえない。なお、後記するように表示処理部４４は、この領域“Ｆａｉｒ”にコメントを表示するものとする。
【００５０】
領域“Ｆａｉｒ”は、座標平面から切り離された領域であるので、行動評価画面５１の任意の位置に配置され得る。図１１（ａ）では、表示処理部４４は、行動評価画面５１の中央付近（横軸の直上）に領域“Ｆａｉｒ”を配置している。この配置によれば、ユーザは、領域“Ｆａｉｒ”上のコメントを視認しやすくなる。しかしながら、座標平面の縦軸の目盛が途切れている。
【００５１】
図１１（ｂ）では、表示処理部４４は、行動評価画面５１の上部に領域“Ｆａｉｒ”を配置している。図１１（ｃ）では、表示処理部４４は、行動評価画面５１の下部に領域“Ｆａｉｒ”を配置している。その結果、図１１（ｂ）及び図１１（ｃ）では、縦軸の目盛は、領域“Ｇｏｏｄ”及び領域“Ｂａｄ”の間でシームレスに連続している。これらの配置では、座標平面の縦軸の目盛が途切れることがない。したがって、ユーザは、アイコン同士の距離を比較しやすく、生体行動に対する評価を知った後、今後要求される努力の程度を把握しやすい。
【００５２】
図７に戻る。表示処理部４４は、領域“Ｇｏｏｄ”又は領域“Ｂａｄ”に、アイコン２０４〜２０９を表示する。アイコン２０５には、人間が歩行する図案及び歩行時間が記載されている。アイコン２０５の横軸の座標値は、ユーザが評価対象となる生体行動“歩行”を行なった連続時間の終了時点（時刻）を示し、縦軸の座標値は、生体行動“歩行”に対する評価値を示す。アイコン２０６には、食器の図案及び摂取カロリーが記載されている。アイコン２０６の横軸の座標値は、ユーザが評価対象となる生体行動“食事”を行なった時点（時刻）を示し、縦軸の座標値は、生体行動“食事”に対する評価値を示す。
【００５３】
アイコン２０７には、人間が着座する図案及び着席時間（歩行をしなかった時間）が記載されている。アイコン２０７の横軸の座標値は、ユーザが評価対象となる生体行動“歩行”を行なわなかった連続時間の終了時点（時刻）を示し、縦軸の座標値は、生体行動“歩行”に対する評価値を示す。アイコン２０８については、アイコン２０５と同様であるので説明を省略する。
【００５４】
アイコン２０４には、三日月の図案及び前夜の睡眠効率が記載されている。アイコン２０４の横軸の座標値は、“０時００分”近辺ではあるが特に意味を有さず、縦軸の座標値は、生体行動“睡眠”に対する評価値を示す。アイコン２０４は、１日に一度（主としてユーザの起床時）だけ、座標平面の左端に表示される。アイコン２０９には、ハートの図案及び唾液のアミラーゼ値を示す満ち欠け（直ちに後記）が記載されている。アイコン２０９の横軸の座標値は、“２４時００分”近辺ではあるが特に意味を有さず、縦軸の座標値は、生体行動“緊張”に対する評価値を示す。アイコン２０９は、１日に一度（主としてユーザの就床時）だけ、座標平面の右端に表示される。
【００５５】
なお、図１０（ｂ）は、アイコン２０９が唾液のアミラーゼ値を示す態様を説明する図である。表示処理部４４は、唾液のアミラーゼ値を５段階に分け、良い値（緊張が少ない）から悪い値（緊張が多い）の順に、２０９ａ、２０９ｂ、２０９ｃ、２０９ｄ及び２０９ｅの態様（ハートの図案の満ち欠け）でアイコン２０９を表示する。
【００５６】
図８及び図９に沿って、１日における行動評価画面５１の遷移を説明する。なお、図８及び図９の各行動評価画面５１は、説明の簡略化のために領域“Ｆａｉｒ”を省略している。
・図８（ａ）：１２月１７日、５時３０分頃
表示処理部４４は、５時３０分頃に、アイコン２２１を表示する。アイコン２２１は、生体行動“睡眠”に対する評価結果である。表示処理部４４は、アイコン２２１を表示する際、目立つように強調表示（円形の３重の縁取り）するほか、チャイム等の音声でユーザの注意を喚起してもよい（以下同様）。このときユーザは、前夜の睡眠がまずまずの評価を受けたことを知り得る。
【００５７】
・図８（ｂ）：１２月１７日、８時００分頃
表示処理部４４は、８時００分頃に、アイコン２２２を表示する。アイコン２２２は、生体行動“歩行”に対する評価結果である。なお、表示処理部４４は、過去に表示したアイコン２２１を引き続き表示している。このときユーザは、朝の歩行（散歩又は通勤）が充分良い評価を受けたことを知り得る。
【００５８】
・図８（ｃ）、図９（ａ）及び図９（ｂ）
同様に、表示処理部４４は、１４時００分頃、１７時３０分頃、及び、２０時００分頃に、それぞれアイコン２２３、２２４及び２２５を表示する。ユーザは、食事（昼食）はまずまずの評価を受け、歩行の欠如（長時間着座していた）は非常に悪い評価を受け、食事（夕食）はまずまずの評価を受けたことを、それぞれの時点で知り得る。
【００５９】
・図９（ｃ）：１２月１７日、２３時３０分頃
表示処理部４４は、２３時３０分頃に、アイコン２２６を表示する。アイコン２２６は、生体行動“緊張”に対する評価結果である。このときユーザは、就床直前の緊張（精神状態）が非常に良い評価を受けたことを知り得る。そして安心して眠りに就く。
【００６０】
（アイコンの重なり）
例えば、食事の後あまり時間を経ず歩行する場合、両者に対する評価が同程度であると、食事のアイコンと歩行のアイコンとが重なって表示されやすい。このような場合、アイコンの見やすさを確保するために、重なった複数のアイコンのうちいずれを前面に表示するかを定めた表示順位パタンを、データ取得部４１はユーザから受け付けておく。そして、表示処理部４４は、その表示順位パタンに基づきアイコンを表示する。
【００６１】
データ取得部４１は、表示順位パタンとして以下の候補を準備しており、ユーザがそれらのうちから選択するのを受け付ける。
・図１０（ａ）の表示順位パタン２３１
予め指定を受けた生体活動（主種類）の順に前面に表示する。この例では、生体活動２３１ａ→生体活動２３１ｂ→生体活動２３１ｃの順に前面に表示する。
・図１０（ａ）の表示順位パタン２３２
縦軸の評価値が大きい順に前面に表示する。もちろんこの逆も可能である。
・図１０（ａ）の表示順位パタン２３３
横軸の時点が新しい順に前面に表示する。もちろんこの逆も可能である。
・図１０（ａ）の表示順位パタン２３４
直近の過去における同じ生体活動（主種類）に対する評価値と比較し評価値の改善度が大きい順に前面に表示する。もちろんこの逆も可能である。
なお、表示処理部４４は、アイコンが重なった場合、アイコン同士が少なくとも接する程度に相互に離れるまで、アイコン間の距離を大きくすること、又は、アイコンの大きさを小さくすることも可能である（図１０（ａ）のパタン２３５参照）。
【００６２】
（処理手順）
図６に戻り、処理手順のフローチャートを説明する。処理手順が開始される前提として、時系列の各種計測値が各種生体情報取得装置２から送信され、計測値情報３１として補助記憶装置１５に蓄積されているものとする。
ステップＳ３０１において、生体行動評価装置１（３）のデータ取得部４１は、評価値情報３２を受け付ける。具体的には、データ取得部４１は、ユーザが作成した評価値情報３２（図３）を、入力装置１２を介して受け付ける。
【００６３】
ステップＳ３０２において、データ取得部４１は、閾値更新基準３３を受け付ける。具体的には、データ取得部４１は、ユーザが作成した閾値更新基準３３（図４）を、入力装置１２を介して受け付ける。
【００６４】
ステップＳ３０３において、データ取得部４１は、コメント情報３４を受け付ける。具体的には、データ取得部４１は、ユーザが作成したコメント情報３４（図５）を、入力装置１２を介して受け付ける。
【００６５】
ステップＳ３０４において、表示処理部４４は、評価開始指示を受け付ける。具体的には、表示処理部４４は、出力装置１３に評価開始指示ボタン（例えば、“おはようございます”の文言が記載されている）を表示し、ユーザが評価開始指示ボタンを押下するのを受け付ける。その後、データ取得部４１は、計測値が評価値情報３２の評価基準に該当するのを検出するために、時々刻々と計測値が蓄積されて行く計測情報３１を常時参照することになる。
【００６６】
ステップＳ３０５において、データ取得部４１は、評価基準に該当する生体行動を検出したか否かを判断する。具体的には、データ取得部４１は、評価基準に該当する生体行動を検出した場合（ステップＳ３０５“Ｙｅｓ”）、ステップＳ３０６に進み、検出していない場合（ステップＳ３０５“Ｎｏ”）、検出するまで待機する。ただし、その日に初めてステップＳ３０５を経由した場合（“おはようケース”と言う）は、無条件でステップＳ３０６に進む。
【００６７】
ステップＳ３０６において、行動評価部４３及び行動特定部４２は、評価値及び生体行動を取得する。例えば、データ取得部４１は、計測値情報３１を参照し、“１２時００分に２，１００ｋｃａｌを取得した”ことを検出したとする（“代表検出例”と言う）。すると、行動評価部４３は、評価値情報３２のレコードＥ０１の評価値“−３”を取得し、行動特定部４２は、評価値情報３２のレコードＥ０１の主種類“食事”を取得する。
なお、おはようケースでは、行動評価部４３は、レコードＤ０１〜Ｄ０３のいずれかの評価値を取得できる場合はその評価値を取得し、取得できない場合（計測値が標準的な水準である場合等）は、みなし評価値“０”を取得することとする。行動特定部４２は、主種類としては常に“睡眠”を取得することになる。
【００６８】
ステップＳ３０７において、表示処理部４４は、図形を表示する。具体的には、第１に、表示処理部４４は、出力装置１３に行動評価画面５１（図７）を表示する。
第２に、表示処理部４４は、行動評価画面５１の座標平面に図形（図７では円形のアイコンである）を表示する。代表検出例では、表示処理部４４は、アイコンの横軸の座標値を“１２時００分”とし、縦軸の座標値を“−３”とする。そして、アイコンに食器の図案及び“２，１００ｋｃａｌ”を記載する。なお、おはようケースでは、表示処理部４４は、アイコンの横軸位置を常に座標平面の左端とする。
【００６９】
ステップＳ３０８において、行動評価部４３は、コメントを取得する。具体的には、第１に、行動評価部４３は、ステップＳ３０６において取得した評価値及び生体行動（主種類）が属する評価値情報３２（図３）のレコードの評価ＩＤを取得する。
第２に、行動評価部４３は、ステップＳ３０８の“第１”において取得した評価ＩＤを検索キーとしてコメント情報３４（図５）を検索し、該当したレコードのコメントを取得する。代表検出例では、コメントとして“食事の量を控えめにしましょう”が取得されることになる。このとき、仮に評価ＩＤに該当するレコードが存在しなくても、計測値が計測値推移（図５の欄１２２）に該当していれば、行動評価部４３は、その計測値情報に対応するコメントを取得する。
【００７０】
ステップＳ３０９において、表示処理部４４は、コメントを表示する。具体的には、表示処理部４４は、ステップＳ３０８の“第２”において取得したコメントを行動評価画面５１の領域“Ｆａｉｒ”に表示する。このときコメントとアイコンとを関連付けて表示する（図７の符号２１０）。
【００７１】
ステップＳ３１０において、表示処理部４４は、評価終了指示を受け付けたか否かを判断する。前提として、表示処理部４４は、出力装置１３に評価終了指示ボタン（例えば、“おやすみなさい”の文言が記載されている）を表示しているものとする。そのうえで、表示処理部４４は、ユーザが評価終了指示ボタンを押下するのを受け付けていない場合（ステップＳ３１０“Ｎｏ”）、ステップＳ３０５に戻り、評価基準に該当する生体行動を検出するのを待つ。一方、表示処理部４４は、ユーザが評価終了指示ボタンを押下するのを受け付けた場合（ステップＳ３１０“Ｙｅｓ”、“おやすみ”ケースと言う）、ステップＳ３０６〜３０９の処理を、唾液分析装置からの計測値について繰り返した後、ステップＳ３１１に進む。
【００７２】
なお、おやすみケースでは、行動評価部４３は、レコードＴ０１〜Ｔ０４のいずれかの評価値を取得できる場合はその評価値を取得し、取得できない場合（計測値が標準的な水準である場合等）は、みなし評価値“０”を取得することとする。行動特定部４２は、主種類としては常に“緊張”を取得することになる。
【００７３】
ステップＳ３１１において、行動評価部４３は、評価基準の閾値を更新する。具体的には、第１に、行動評価部４３は、図３の閾値ｑ１及びｑ３を更新する。
第２に、行動評価部４３は、２日連続して“２”以上の良い評価値が出た場合は、図３の閾値ｑ２及びｑ４〜ｑ１２のうち該当するものを５％厳しい値で更新する。行動評価部４３は、“−２”以下の悪い評価値が出た場合は、図３の閾値ｑ２及びｑ４〜ｑ１２のうち該当するものを５％甘い値で更新する。
【００７４】
（まとめ表示）
前記では、ユーザが朝起床し、夜就床するまでの間、生体行動評価装置１（図１）又は携帯端末装置４（図２）の出力装置１３に行動評価画面５１が表示され続けている例を説明した。しかしながら実際には、ユーザは、生体行動評価装置１等を他の用途に使用している間、行動評価画面５１を視認できない場合も多い。つまり、ユーザが例えば１７時００分頃その日初めて行動評価画面５１を視認し、起床時刻から１７時００分までの生体行動を振り返ってみたいと言うニーズは存在する。
【００７５】
表示処理部４４がステップＳ３０４の評価開始指示を受け付けない場合であっても、行動評価部４３等は、ステップＳ３０６〜Ｓ３０９の処理を繰り返す（但し、実際に画面表示はしない）。そして、表示処理部４４は、表示すべきすべてのアイコンの主種類、座標平面上の位置及び計測値、並びに、コメントを補助記憶装置１５に記憶しておく。
そして、表示処理部４４は、ユーザが任意の画面上で“振り返りボタン”を任意の時点（“振り返り時点”と言う）に押下するのを受け付ける。すると、表示処理部４４は、その日の起床時刻から、振り返り時点までの画面推移を、例えば３０秒間のスライド型式で出力装置１３上に再生する。振り返り時点の時刻が２０時００分である場合、ユーザは、図８（ａ）→図８（ｂ）→図８（ｃ）→図９（ａ）→図９（ｂ）の各画面をこの順番で視認することになる。
【００７６】
同様に、表示処理部４４は、ユーザが過去の時点（例えば、１週間前のある時点）を指定するのを受け付けてもよい。そして、受け付けた過去の時点から現在時点までにリアルタイムで表示した（表示できなかった）アイコン等を、スライド型式で再生してもよい。
【００７７】
（実施形態の効果）
本実施形態は、以下の効果を奏する。
（１）生体行動評価装置は、評価対象となる生体行動を種類ごとアイコン化して時系列で表示する。よって、ユーザは、評価対象となる行動を直感的に知ることができ、生活習慣改善の動機を維持することが容易になる。
（２）生体行動評価装置は、複数の種類についての観測値に関する閾値を有する評価基準を有する。よって、ユーザは、複数の種類の生体行動間の相互関係も考慮することができる。また、生体行動評価装置は、観測値を取得する都度、ユーザの生体行動に対する評価を表示する。よって、ユーザは、“いまさら”感を感ずることなく、評価対象の行動を、記憶の鮮明なうちに知ることができる。
【００７８】
（３）生体行動評価装置は、生体行動として、食事、歩行、睡眠及び緊張を扱い、適宜評価基準の閾値を更新する。よって、ユーザは、生活習慣病に大きくかかわる身近な行動を評価することができ、評価基準が陳腐化することもない。
（４）生体行動評価装置は、過去の評価結果であるアイコンを同一座標平面上で表示する。よって、ユーザは、生体行動に対する評価結果を時系列で視認できる。
（５）生体行動評価装置は、携帯可能であり、計測値を取得する装置と通信可能である。よって、ユーザは、生体行動評価装置を外出先等においても使用することができる。
（６）生体行動評価装置は、任意の時点で、過去の評価結果をまとめて表示する。よって、ユーザは、自身の行動を繰り返し落ち着いて確認することができる。
【００７９】
なお、本発明は前記した実施例に限定されるものではなく、様々な変形例が含まれる。例えば、前記した実施例は、本発明を分かり易く説明するために詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００８０】
また、前記の各構成、機能、処理部、処理手段等は、それらの一部又は全部を、例えば集積回路で設計する等によりハードウエアで実現してもよい。また、前記の各構成、機能等は、プロセッサがそれぞれの機能を実現するプログラムを解釈し、実行することによりソフトウエアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
また、制御線や情報線は説明上必要と考えられるものを示しており、製品上必ずしもすべての制御線や情報線を示しているとは限らない。実際には殆どすべての構成が相互に接続されていると考えてもよい。
【符号の説明】
【００８１】
１、３  生体行動評価装置
２      生体情報取得装置
４      携帯端末装置
５      ネットワーク
１１    中央制御装置（制御部）
１２    入力装置
１３    出力装置
１４    主記憶装置（記憶部）
１５    補助記憶装置（記憶部）
１６、１７  通信装置
３１    計測値情報
３２    評価値情報
３３    閾値更新基準
３４    コメント情報
４１    データ取得部
４２    行動特定部
４３    行動評価部
４４    表示処理部
５１    行動評価画面
【図１】
2017074174.tif 000003
【図２】
2017074174.tif 000004
【図３】
2017074174.tif 000005
【図４】
2017074174.tif 000006
【図５】
2017074174.tif 000007
【図６】
2017074174.tif 000008
【図７】
2017074174.tif 000009
【図８】
2017074174.tif 000010
【図９】
2017074174.tif 000011
【図１０】
2017074174.tif 000012
【図１１】
2017074174.tif 000013